(57)【要約】  【課題】従来のピンチローラでは、磁気記録再生装置に搭載した場合に、テープの安定走行までに時間を要した。  【解決手段】ピンチローラ軸３方向におけるピンチローラ軸受５の高さ中心は、ピンチローラ軸３方向における円筒状ホルダー２０の高さ中心に対して偏倚しており、ピンチローラ軸受５の中心孔におけるピンチローラ軸３に面する内周面は、ピンチローラ軸受５の偏倚方向にかけて径が小さくなるテーパ形状を備えることにより、機器が駆動する際にテープの安定走行までに要する時間を短縮できる。  【選択図】図１
2008165853.tif 000002
【特許請求の範囲】
【請求項１】
円筒状弾性体を支持する円筒状ホルダーと、
前記円筒状ホルダーの内周面に固定され、中心軸回りに回転可能とする中心孔を具備する軸受部とを備え、
前記中心軸方向における前記軸受部の高さ中心は、前記中心軸方向における前記円筒状ホルダーの高さ中心に対して偏倚しており、
前記中心孔における前記中心軸に面する内周面は、前記軸受部の偏倚方向にかけて径が小さくなるテーパ形状を備えるピンチローラ。
【請求項２】
テープ状磁気媒体を記録再生する磁気ヘッドを有するシリンダーと、
回転軸と、
請求項１記載のピンチローラとを備え、
前記円筒状弾性体を前記回転軸に押圧係合させ、前記テープ状磁気媒体を前記シリンダーに案内する磁気記録再生装置。
【発明の詳細な説明】
【技術分野】
【０００１】
本発明は、回転ヘッドシリンダに磁気テープを所定の角度巻回して、信号の記録再生を行う磁気記録再生装置に用いられるピンチローラに関するものである。
【背景技術】
【０００２】
近年、ビデオテープレコーダー等に用いられる磁気記録再生装置は、小型化、低価格化が進んでいる。
【０００３】
以下、従来の磁気記録再生装置について図２〜図４を用いて説明する。図２は磁気記録再生装置の記録再生装着状態での平面図である。図２において、１３はメインシャーシである。１４は周囲に磁気ヘッドを備えた回転ヘッドシリンダであり、メインシャーシ１３に対し回転自在に軸支されている。また、磁気テープに大容量情報を記録するため、回転ヘッドシリンダ１４はメインシャーシ１３に対して所定角度傾けて配置されている。
【０００４】
６はキャプスタンであり、メインシャーシ１３に設けられている。キャプスタン６はキャプスタン軸７を備えている。キャプスタン軸７は、駆動源である不図示のロータが駆動することにより回転する。
【０００５】
１５はＴボートであり、Ｔローラポスト１５ａとＴ１ポスト１５ｂとを備える。Ｔボート１５が回転ヘッドシリンダ１４の外周方向に移動する際に、Ｔローラポスト１５ａ及びＴ１ポスト１５ｂが不図示のカセットからテープ１を引き出し、テープ１を回転ヘッドシリンダ及びキャプスタン軸に巻回する。テープ１は回転ヘッドシリンダ１４に備える磁気ヘッドで記録再生される。
【０００６】
１８はＴ３アームであり、メインシャーシ１３に対して移動可能に設けられている。１８ａはＴ３ポストであり、Ｔ３アーム１８上に設けられている。Ｔローラポスト１５ａとＴ３ポスト１８ａとにテープ１が架橋され、Ｔ３アーム１８とＴボート１５とが移動することにより、テープカセットからテープ１が引き出され、キャプスタン軸７に巻回される。
【０００７】
１９はピンチローラであり、キャプスタン軸７との間にテープ１を挟持し、キャプスタン軸７が回転することにより、テープ１を駆動する。
同図においては、ピンチローラ１９はキャプスタン軸７に対して押圧し、テープ１を挟持している（記録再生状態）。一方、図３においては、ピンチローラ１９はキャプスタン軸７に対して離隔し、テープ１を挟持していない（記録再生停止状態）。
【０００８】
図４は従来の磁気記録再生装置のピンチローラの要部断面図である。図４において、１９はピンチローラである。６はキャプスタンであり、キャプスタン軸７を備える。２はピンチアームであり、メインシャーシ１３に軸支されている。３はピンチアーム２に設けられたピンチローラ軸である。なお、ピンチローラ１９とピンチローラ軸３とは、不図示のねじにより螺合固定されている。
【０００９】
４は円筒状弾性体であり、２０は円筒状ホルダーであり、１２はピンチローラ軸受である。ピンチローラ１９は、円筒状弾性体４、円筒状ホルダー２０及びピンチローラ軸受１２からなっている。ピンチローラ軸受１２の外周面は円筒状ホルダー２０の内周面に固定されている。円筒状弾性体４の内周面は円筒状ホルダー２０の外周面に固定されている。ピンチローラ軸受１２の孔部の内周面は、ピンチローラ軸３に平行な円筒形状をしている。ピンチローラ軸受１２はピンチローラ軸３に遊挿され、ピンチローラ軸３に対して回転自在に設けられている。
【００１０】
８は円筒状ホルダー２０におけるピンチローラ軸３方向の高さの中心線で、９はピンチローラ軸受１２におけるピンチローラ軸３方向の高さの中心線である。同図に示すように、中心線８と中心線９とは一致するように構成されている。
【００１１】
このような構成によって、テープ１はキャプスタン軸７の回転速度に応じて定速度で走行し回転ヘッドシリンダ１４に備える回転磁気ヘッドで、情報信号の記録再生が行われる。
【特許文献１】特開平８−１０２３６２号公報
【発明の開示】
【発明が解決しようとする課題】
【００１２】
テープカセット中で平行に巻回されているテープ１を、回転ヘッドシリンダ１４の傾斜に沿ってテープを巻回するには、テープ１が通過する各ポストにおいてテープをねじることが必要となる。従来は、このテープ１のねじれを是正するため、例えばＴローラポスト１５ａとキャプスタン軸７との間やＴ３ポスト１８ａとキャプスタン軸７との間にポストを挿入し、テープねじれを是正していた。
【００１３】
しかしながら、機器の小型化や材器の安価に対する要請が強まり、図２や図３に示すようにポストを削減することが必要となり、Ｔローラポスト１５ａ及びＴ３ポスト１８ａとキャプスタン軸７との間で発生するテープねじれが充分是正することができない構成を余儀なくなくされている。
【００１４】
その結果、Ｔローラポスト１５ａとキャプスタン軸７との間及び／又はＴ３ポスト１８ａとキャプスタン軸７との間のテープのねじれが影響し、従来の構成では、図３に示すようなピンチローラがキャプスタン軸から離隔した状態（記録再生停止状態）から、図２に示すようなピンチローラとキャプスタン軸とで挟持したテープ１を駆動する状態（記録再生状態）へと機器の状態間を移行した際に、キャプスタン軸７に対するテープの上下位置が安定しテープが安定走行するまでに多大な時間を要するという問題点があった。
【００１５】
本発明は上記従来の問題点を解決するもので、記録再生停止状態から記録再生状態への安定走行移行時間を短縮することを目的とする。
【課題を解決するための手段】
【００１６】
この目的を達成するために、本発明のピンチローラは、円筒状弾性体を支持する円筒状ホルダーと、前記円筒状ホルダーの内周面に固定され、中心軸回りに回転可能とする中心孔を具備する軸受部とを備え、前記中心軸方向における前記軸受部の高さ中心は、前記中心軸方向における前記円筒状ホルダーの高さ中心に対して偏倚しており、前記中心孔における前記中心軸に面する内周面は、前記軸受部の偏倚方向にかけて径が小さくなるテーパ形状を備えることを特徴とする構成を有している。
【発明の効果】
【００１７】
本発明は、記録再生停止状態から記録再生状態への安定走行移行時間を短縮できるピンチローラを提供することができる。
【発明を実施するための最良の形態】
【００１８】
本発明のピンチローラは、円筒状弾性体を支持する円筒状ホルダーと、
前記円筒状ホルダーの内周面に固定され、中心軸回りに回転可能とする中心孔を具備する軸受部とを備え、前記中心軸方向における前記軸受部の高さ中心は、前記中心軸方向における前記円筒状ホルダーの高さ中心に対して偏倚しており、前記中心孔における前記中心軸に面する内周面は、前記軸受部の偏倚方向にかけて径が小さくなるテーパ形状を備える構成を有する。ピンチローラ軸受に遊挿する軸周面に対し、ピンチローラ軸受の内周面をピンチローラの偏倚方向にかけて径が小さくなるテーパ形状とした構成により、ピンチローラとキャプスタン軸との押圧下でピンチローラが回転すると、テーパ形状の軸受部がテープのねじれを是正する方向に作用するため、ピンチローラとキャプスタン軸とに挟持されたテープは速やかに安定走行する。
【００１９】
以下、本発明の最良の実施の形態の一例としてビデオカメラを例に図１〜図３を使って説明する。
【００２０】
図１は本実施形態の要部断面図である。図１において、１９はピンチローラである。６はキャプスタンであり、キャプスタン軸７（回転軸）を備える。２はピンチアームであり、メインシャーシ１３（図２参照）に軸支されている。３はピンチアーム２に設けられたピンチローラ軸（中心軸）である。
【００２１】
４は円筒状弾性体であり、２０は円筒状ホルダーであり、５はピンチローラ軸受である。ピンチローラ１９は、円筒状弾性体４、円筒状ホルダー２０及びピンチローラ軸受５からなっている。ピンチローラ軸受５の外周面は円筒状ホルダー２０の内周面に固定されている。円筒状弾性体４の内周面は円筒状ホルダー２０の外周面に固定されている。ピンチローラ軸受５はピンチローラ軸３を遊挿することで、ピンチローラ軸３に対して回転自在に設けられている。円筒状弾性体４としては例えばゴム等が適用でき、ピンチローラ１９がキャプスタン軸７を押圧することにより弾性変形する。円筒状弾性体４とキャプスタン軸７との間にテープ１を挟持し、キャプスタン軸７が回転することによりテープ１が駆動する。
【００２２】
本実施形態においては、ピンチローラ軸３方向におけるピンチローラ軸受５の高さ中心をピンチローラ軸３方向における円筒状ホルダー２０の高さ中心に対して偏倚（偏倚量１０）させ、ピンチローラ軸受５の中心孔におけるピンチローラ軸３に面する内周面を、ピンチローラ軸受５の偏倚方向にかけて径が小さくなるテーパ形状とする構成とした。
【００２３】
従来の構成ではキャプスタン軸７に対しピンチローラ１９は直交する方向に押圧していたため、テープ１のねじれを是正し難く、安定走行までに０．５〜１．０ｓｅｃ程度要したが、上記構成により、キャプスタン軸７とピンチローラ１９とに挟持されたテープ１は、ねじれを解消し易い構成となり、テープ１の安定走行までの時間を０．２〜０．５ｓｅｃ程度に短縮することができた。また、長時間記録再生状態を維持すると、テープ１のねじれ力の蓄積により、テープ１が折りたたんだ状態でキャプスタン軸７とピンチローラ１９との間に挟持され易いというテープ１のねじれに起因する別の課題も回避することができる。
【００２４】
なお、上記構成による作用は定かではないが、次のようなことが想定される。まず、ピンチローラ１９はキャプスタン軸７に対し、テープ１のねじれを是正する方向に傾けることができる。また、ピンチローラ軸受５の中心を円筒状ホルダー２０の中心から偏倚させ、この偏倚にかけて、ピンチローラ軸受５の半径が小さくなる構成としたため、キャプスタン軸７に対するピンチローラ１９の傾斜をより確実にすることができる。
【００２５】
なお、本実施の形態では、ピンチローラ軸受を上方に偏倚し、ピンチローラ軸受の孔部の内周面を偏倚方向に径が小さくなるようなテーパ形状としたが、テープのねじれの方向によっては、ピンチローラ軸受を下方に偏倚し、ピンチローラ軸受の孔部の内周面を偏倚方向に径が小さくなるようなテーパ形状としてもよい。
【００２６】
なお、本実施の形態では、機器の状態の移行として、記録再生停止状態から記録再生状態に移行する場合を挙げたが、早送り状態から記録再生状態に移行する場合や、巻き戻し状態から記録再生状態に移行する場合等、ピンチローラがキャプスタン軸から離れている状態からピンチローラがキャプスタン軸を押圧する状態に移行する場合等であればいずれも適用できる。
【００２７】
また、本実施の形態では、ビデオカメラを取り上げたが、据え置き式のビデオレコーダーやテープレコーダー等の磁気テープを用いる機器であればよい。
【産業上の利用可能性】
【００２８】
本発明は、テープ状媒体を情報媒体として使用する電子機器に有用である。
【図面の簡単な説明】
【００２９】
【図１】本発明のピンチローラにおける要部断面図
【図２】ピンチローラが設けられた磁気記録再生装置の要部平面図
【図３】ピンチローラが設けられた磁気記録再生装置の要部平面図
【図４】従来のピンチローラにおける要部断面図
【符号の説明】
【００３０】
１  テープ
２  ピンチアーム
３  ピンチローラ軸
４  円筒状弾性体
５  ピンチローラ軸受
５ａ  ピンチローラ軸受の孔部の内周面
６  キャプスタン
７  キャプスタン軸
１９  ピンチローラ
２０  円筒状ホルダー
【図１】
2008165853.tif 000003
【図２】
2008165853.tif 000004
【図３】
2008165853.tif 000005
【図４】
2008165853.tif 000006